(57)【要約】【課題】  草刈機の前面や側面への飛石等を防止すると共に、刈込み面の凹凸に対してもフレキシブル上下へ追従し、刈込み面を滑り易く、スムースで安全に作業ができる草刈機を提供する。【解決手段】  前面に配置した回転式刈刃の前面に直接取り付けられた保護用の刈刃カバー１０を有する草刈機において、前記刈刃カバー１０の進行方向の前面に直接取り付けられる前面カバー１３と、前記刈刃カバー１０の両側面に取付部材を介して取り付けられる側面カバー１４と、からなる飛石防止カバーが前記側面カバー１４は、キャンバス入りのゴムラバー製の矩形に形成された側面部１４ａと、前記側面部１４ａより所定角度で内側に曲げられ先端が先細りに形成された前面部１４ｂと、からなる構成とした。【選択図】      図１
2006320270.tif 000002
【特許請求の範囲】
【請求項１】
前面に配置した回転式刈刃の前面に直接取り付けられた保護用の刈刃カバーを有する草刈機において、
前記刈刃カバーの進行方向の前面に直接取り付けられる前面カバーと、
前記刈刃カバーの両側面に取付部材を介して取り付けられる側面カバーと、
からなる飛石防止カバーが備えていることを特徴とする草刈機。
【請求項２】
前面に配置した回転式刈刃の前面に直接取り付けられた保護用の刈刃カバーを有する草刈機において、
前記草刈機の刈刃カバーの前面に配置する前面カバーと、
前記刈刃カバーの両側面に取付部材を介して取り付けられた側面カバーと、から形成され、前記前面カバーは、矩形に形成されたキャンバス入りのゴムラバー製で、回転式刈刃の刈刃カバーの前面にボルトで締着されている飛石防止カバーを備えていることを特徴とする草刈機。
【請求項３】
前面に配置した回転式刈刃の前面に直接取り付けられた保護用の刈刃カバーを有する草刈機において、
前記草刈機の刈刃カバーの前面に直接取り付けられた前面カバーと、
前記刈刃カバーの両側面に取付部材を介して取り付けられた側面カバーと、
から形成され、前記側面カバーが、キャンバス入りのゴムラバー製の矩形に形成された側面部と、前記側面部より所定角度で内側に曲げられ先端が先細りに形成された前面部と、からなる飛石防止カバーを備えていることを特徴とする草刈機。
【請求項４】
前面に配置した回転式刈刃の前面に直接取り付けられた保護用の刈刃カバーを有する草刈機において、
前記草刈機の刈刃カバーの前面に直接取り付けられた前面カバーと、
前記刈刃カバーの両側面に取付部材を介して取り付けられた側面カバーと、
から形成され、前記前面カバーは、矩形に形成されたキャンバス入りのゴムラバー製で、前記草刈機の刈刃カバーの前面に直接ボルトで締着され、前記側面カバーは、キャンバス入りのゴムラバー製の矩形に形成された側面部と、前記側面部より所定角度で内側に曲げられた前面部とからなり、前記草刈機の刈刃カバーの側面にアングルを介して取り付けられている飛石防止カバーを備えていることを特徴とする草刈機。
【請求項５】
前面に配置した回転式刈刃の前面に直接取り付けられた保護用の刈刃カバーを有する草刈機において、
前記草刈機の刈刃カバーの前面に直接取り付けられた前面カバーと、
前記刈刃カバーの両側面に取付部材を介して取り付けられた側面カバーと、
から形成され、前記前面カバーは、矩形に形成されたキャンバス入りのゴムラバー製で、前記草刈機の刈刃カバーの前面にボルトで締着され、前記側面カバーは、キャンバス入りのゴムラバー製の矩形に形成された側面部と、前記側面部より所定角度で内側に曲げられた前面部とからなり、前記草刈機の刈刃カバーの側面にアングルを介して取り付けられ、前記所定角度は１２０度乃至１５０度である飛石防止カバーを備えていることを特徴とする草刈機。
【発明の詳細な説明】
【技術分野】
【０００１】
本発明は、河川敷や土手などに繁殖している雑草などを刈り込む刈込み面の隙間からの飛散する飛石等の防止する飛石防止カバーを備えた草刈機に関する。
【背景技術】
【０００２】
従来、草刈機においては、エンジンを搭載し車輪等の走行装置を備えた機体の前下部に、このエンジンによって水平または進行方向に回転する回転刈刃を備え、この回転刈刃の周囲や上方をカバーで覆う安全対策を兼ねた飛石等の防止カバーが取り付けられている。この種の飛石等の防止カバーを備えた特許文献１または非特許文献１に示す。
【特許文献１】実公平５−１８８９５号公報
【非特許文献１】コマツゼノア２００５年カタログ  ゼノアハンマナイフモアＺＨＭ１５１０／ＺＭＨ１７１０（５ページ）
【発明の開示】
【発明が解決しようとする課題】
【０００３】
しかしながら、上述した従来の草刈機においては、回転刈刃の回転方向の関係で前方に取り付けたものが多く、特許文献１においては刈刃カバーの前縁に沿って石飛び防止板を下がり壁状に取り付けたものであるが、刈刃カバーと石飛び防止板の側面の隙間から飛石は防ぎきれないという問題があった。
【０００４】
また、非特許文献１における草刈機においては、前面に飛散防止用チェーンを取り付けているが、草刈機が左右に揺れた場合には飛散防止用チェーンの間に隙間ができ、この隙間より石等が飛び出してしまうという問題があった。さらに、飛散防止用チェーンは、刈り込み面の凹凸に対してフレキシブルに上下への追従がなされないので、上下方向でも隙間が生じてしまい、石等が飛び出してしまうという問題があった。そして、飛散防止用チェーンは、切り株等の障害物があれば引っ掛かってしまい、作業の障害になることもあった。さらにまた、この草刈機も特許文献１と同様に前方のみを考慮したものであり、横方向の対策はなされていないという問題があった。
【０００５】
本発明は、上述した従来の問題に鑑みなされたもので、草刈機の前面や側面への飛石等を防止すると共に、刈込み面の凹凸に対してもフレキシブル上下へ追従し、刈込み面を滑り易く、スムースで安全に作業ができる飛石等の防止カバーを提供するものである。
【課題を解決するための手段】
【０００６】
本発明は、上記課題を解決するため、前面に配置した回転式刈刃の前面に直接取り付けられた保護用の刈刃カバーを有する草刈機において、前記刈刃カバーの進行方向の前面に直接取り付けられる前面カバーと、前記刈刃カバーの両側面に取付部材を介して取り付けられる側面カバーとからなる飛石防止カバーが備えている草刈機とするものである。
【０００７】
また、本発明の前記課題は、草刈機の刈刃カバーの前面に配置する前面カバーと、前記刈刃カバーの両側面に取付部材を介して取り付けられた側面カバーと、から形成され、前記前面カバーは、矩形に形成されたキャンバス入りのゴムラバー製で、回転式刈刃の刈刃カバーの前面にボルトで締着されている飛石防止カバーを備えている草刈機の構成により達成することができる。
【０００８】
また、本発明の前記課題は、前記草刈機の刈刃カバーの前面に直接取り付けられた前面カバーと、前記刈刃カバーの両側面に取付部材を介して取り付けられた側面カバーと、から形成され、前記側面カバーが、キャンバス入りのゴムラバー製の矩形に形成された側面部と、前記側面部より所定角度で内側に曲げられ先端が先細りに形成された前面部と、からなる飛石防止カバーを備えている草刈機の構成によって達成できる。
【０００９】
本発明の前記課題は、前記草刈機の刈刃カバーの前面に直接取り付けられた前面カバーと、前記刈刃カバーの両側面に取付部材を介して取り付けられた側面カバーと、から形成され、前記前面カバーは、矩形に形成されたキャンバス入りのゴムラバー製で、前記草刈機の刈刃カバーの前面に直接ボルトで締着され、前記側面カバーは、キャンバス入りのゴムラバー製の矩形に形成された側面部と、前記側面部より所定角度で内側に曲げられた前面部とからなり、前記草刈機の刈刃カバーの側面にアングルを介して取り付けられている飛石防止カバーを備えている草刈機の構成によって達成できる。
【００１０】
更に、本発明の前記課題は、前面に配置した回転式刈刃の前面に直接取り付けられた保護用の刈刃カバーを有する草刈機において、前記草刈機の刈刃カバーの前面に直接取り付けられた前面カバーと、前記刈刃カバーの両側面に取付部材を介して取り付けられた側面カバーと、から形成され、前記前面カバーは、矩形に形成されたキャンバス入りのゴムラバー製で、前記草刈機の刈刃カバーの前面にボルトで締着され、前記側面カバーは、キャンバス入りのゴムラバー製の矩形に形成された側面部と、前記側面部より所定角度で内側に曲げられた前面部とからなり、前記草刈機の刈刃カバーの側面にアングルを介して取り付けられ、前記所定角度は１２０度乃至１５０度である飛石防止カバーを備えている草刈機の構成によって達成できる。
【００１１】
本発明の草刈機の飛石防止カバーとしては非特許文献１に示されるような除草機械は平坦な地面ばかりでなく、凹凸の多い地面を走行するため、飛石防止カバーの枠体としては走行作業中にあらゆる方向から圧力がかかり、雑草の密度は走行速度を増大したときに枠体に過大の圧力が加わるから、強度と柔軟性があり、厚みの薄い鋼材、例えば、Ｌ型鋼材が軽量であるから飛石防止カバーの枠体として好ましい。
【００１２】
本発明の草刈機に装着される飛石防止カバーとして、作業中の摩擦に対する強度や柔軟性を考量すると通常のゴムラバーでは厚みを厚くしなければならず、キャンバス入りゴムラバーによれば強度、柔軟性及び耐久性に優れ、厚みを薄くすることができる。
【発明の効果】
【００１３】
本発明は、上述のように、草刈機の飛石防止の刈刃カバーの前面に直接取り付けられた前面カバーと、前記刈刃カバーの両側面に取付部材を介して取り付けられた側面カバーとにより、あらゆる方向へ飛散する飛び石が防止できるので、作業者は勿論のこと周囲の第三者へも安全が図られるものである。
【００１４】
また、草刈機の刈刃カバーに取り付けられた前面カバーと側面カバーは、弾力性のあるキャンバス入りのゴムラバー製なので、刈込み面の凹凸に対してもフレキシブルに上下に追従し、しかも刈込み面を滑り易く、スムースで安全に草刈り作業ができるものである。
【発明を実施するための最良の形態】
【００１５】
本発明に係る草刈機の最良の形態について図面を参照して説明する。
図１は本発明に係る飛石防止カバーを装着した草刈機を示す一部破断の斜視図、図２は本発明の飛石防止カバーの前面カバーを示す正面図、図３は図２のＸ−Ｘ断面図、図４は本発明の草刈機の飛石防止カバーの側面カバーを示す正面図、図５は図４の側面カバーの平面図、図６は図４のＹ−Ｙ断面図である。
【００１６】
図１は、本発明に係る飛石防止カバーを装着した草刈機を示すもので、この草刈機は歩行タイプの草刈機であり、内部にエンジンを備えて走行を行う駆動部Ｋと、このエンジンで駆動される草刈アタッチメント部Ａと、から構成されている。
【００１７】
この草刈機の駆動部Ｋは、エンジン１の上部にはトップカバー２が取り付けられており、側面には側面カバー３が取り付けられている。また、エンジン１の下部には図示しないクラッチやトランスミッションを介してクローラタイプの走行装置４が装着されており、不整地や斜面等のあらゆる場所を走行できるようになっている。また、この草刈機は、歩行タイプのため、後部に操作用のハンドル５が取り付けられている。このハンドル５の下の車体後部には、図示しないスロットルレバーやクラッチレバー等の各種の操作レバー、メインスイッチや非常停止スイッチ等の各種の操作スイッチ、或いは燃料計やアンメータ等の各種の計器類が備えられている。
【００１８】
また、前記駆動部Ｋのエンジン１により伝達装置６を介して駆動される草刈アタッチメント部Ａは、駆動部Ｋとは着脱自在に取り付けられるものである。即ち、この駆動部Ｋは、様々なアタッチメントを取り付けることにより、様々な作業ができるようにしたものである。この草刈アタッチメント部Ａは、刈刃カバー１０の内部に横方向の回転軸１１を備えており、この回転軸１１に多数の回転刃１２が取り付けられており、この回転刃１２の回転により草が刈取られるものである。    
【００１９】
また、この刈刃カバー１０の前面には飛石防止カバーの前面カバー１３が取り付けられており、両側面には飛石防止カバーの側面カバー１４が取り付けられている。この飛石防止カバーに使用するゴムラバーは下端部と刈込み面との間に隙間が生じないように、常に地面と接触しており、スムースに滑り易くなっている。そして、地面の突起物に当たっても損傷しないように、キャンバス等で補強したものを使用している。
【００２０】
飛石防止カバーの前面カバー１３は、図２に示すように、矩形に形成されたキャンバス入りのゴムラバー製であり、図３に示すように、押さえ金具１３ａを介してボルト１３ｂとナット１３ｃで刈刃カバー１０に取り付けるものである。この際の垂直方向の高さは、草刈機本体のセット位置の最大値、最小値により余長を決定するものである。即ち、最も高い位置でセットした場合は、刈込み面との間に隙間がなくなるような垂直方向の長さとし、最も低い位置でセットした場合は、約１００〜２００ｍｍの長さで前面カバー１３の下端が内側に折り込んだ形状になるものである。
【００２１】
また、側面カバー１４は、図４または図５に示すように、略矩形に形成されたキャンバス入りのゴムラバー製であり、上端部をＬ型鋼に固定されている。この側面カバー１４は、図５に示すように、先端側のＬ型鋼のアングルが側面側のＬ型鋼に対して１２０〜１５０度の角度で内側に曲げられており、それぞれ側面部１４ａ、前面部１４ｂを形成している。これは、最も飛石防止の効果があり、しかも、作業走行上側面カバー１４が支障とならず、スムースに作業が行えるようにしたものである。
【００２２】
この側面カバー１４の取り付けは、図５に示すように、側面カバー１４を取付板１４ｃを介してボルト１４ｄとナット１４ｅでＬ型アングル１５に固定する。そして、このＬ型アングル１５を刈刃カバー１０に溶接等で取り付けられている取付ブラケット１ａにボルト１６ａとナット１６ｂで締着するものである。この際の垂直方向の高さは、草刈機本体のセット位置の最大値、最小値により余長を決定するものである。即ち、最も高い位置でセットした場合は、刈込み面との間に隙間がなくなるような垂直方向の長さとし、最も低い位置でセットした場合は、約１００〜２００ｍｍの長さで側面カバー１４の下端が内側に折り込んだ形状になるものである。
【００２３】
このように構成された飛石防止カバーを装着してあるから草刈作業中に地上に散乱するあらゆる方向への飛び石が防止できるので、作業者は勿論のこと周囲の第三者へも安全が図られるものである。また、刈込み面の凹凸に対してもフレキシブルに上下に追従し、しかも刈込み面を滑り易く、スムースで安全に草刈り作業ができるものである。
【００２４】
さらに、飛石防止カバーは、補強材のキャンバス入りのゴムラバーを使用しているので、フレキシブル性を保有しながら強度も高く耐久性に優れたものとなり、経済的にも優れたものとなっている。しかも、この飛石防止カバーは、滑り性が良好なため、従来のチェーンを使用した飛石防止カバーで発生した、切り株等の障害物に引っ掛かって破損してしまうような、安全面にても不安定な状態が解消されるものである。
【００２５】
尚、本発明の草刈機は、は上述した実施の形態に限定されるものでなく、特許請求の範囲内において様々な態様が可能なことは勿論である。例えば、上述した実施の形態において、草刈り部アタッチメントは駆動部と着脱自在に構成された汎用タイプの草刈機にしたが、草刈り部と駆動部が一体に構成された専用タイプの草刈機にしてよいことは勿論である。また、歩行タイプの草刈機に限定されず、前面カバーと側面カバーが取り付け可能であれば、乗用タイプの草刈機に適用可能であることは勿論である。
【図面の簡単な説明】
【００２６】
【図１】本発明の飛石防止カバーを装着した草刈機を示す一部破断の斜視図である。
【図２】本発明の草刈機に装着する飛石防止カバーの前面カバーを示す正面図である。
【図３】図２のＸ−Ｘ断面図である。
【図４】本発明の草刈機の飛び石防止カバーの側面カバーを示す正面図である。
【図５】図４の側面カバーの平面図である。
【図６】図４のＹ−Ｙ断面である。
【符号の説明】
【００２７】
Ａ      アタッチメント部
Ｋ      駆動部
１      エンジン
２      トップカバー
３      サイドカバー
４      走行装置
５      ハンドル
６      伝達装置
１０      刈刃カバー
１０ａ    取付ブラケット
１１      回転軸
１２      回転刃
１３      前面カバー
１３ａ    押さえ金具
１３ｂ    ボルト
１３ｃ    ナット
１４      側面カバー
１４ａ    側面部
１４ｂ    前面部
１４ｃ    取付板
４ｄ      ボルト
１４ｅ    ナット
１５      Ｌ型アングル
１６ａ    ボルト
１６ｂ    ナット
【図１】
2006320270.tif 000003
【図２】
2006320270.tif 000004
【図３】
2006320270.tif 000005
【図４】
2006320270.tif 000006
【図５】
2006320270.tif 000007
【図６】
2006320270.tif 000008